(57)【要約】  手術装置を設定し且つデータ投入する方法及びシステムが開示され、システムの一実施例は、手術装置に含まれ、及び、データを受信するように動作可能なインタフェース、データセットを格納且つ送信するよう動作可能な識別子を備えるポータブルコンポーネント、手術装置に含まれ、及び、基準を格納するメモリ、及び手術装置に含まれ、及びＲＦＩＤタグから送信され且つインタフェースで受信したデータセットに基づいて、手術装置を設定するように動作可能なコントローラ、を有するシステムである。識別子は、ＲＦＩＤタグであり、インタフェースは、ポータブルコンポーネントのＲＦＩＤタグを作動させるために、無線周波数（ＲＦ）指示を送信するように動作可能なＲＦＩＤリーダ、及び、ＲＦＩＤリーダにＲＦ指示を送信させるように動作可能なマイクロコントローラを備えるＲＦＩＤインタフェースである。ポータブルコンポーネントは、ユーザに取り付けるために動作可能な識別タグである。基準は、メモリに格納されるユーザ認証データであり、及び、コントローラは、ポータブルコントローラに関係するユーザが、ＲＦＩＤタグから送信され且つインタフェースで受信されたデータセットがメモリに格納された基準を満たすかどうかに基づいて、手術装置を使用する権限を与えられているかどうかを判断するように動作可能である。例えばＲＦＩＤタグから受信したデータセットは、ユーザが手術装置を使用する権限を与えられているかどうかを判断するために、コントローラでユーザ承認データと比較される。基準はアルゴリズムであり、コントローラは、ポータブルコンポーネントに関係するユーザが、ＲＦＩＤタグから送信され且つインタフェースで受信されたデータセットがメモリに格納された基準を満たすかどうかに基づいて手術装置を使用するように権限を与えられているかどうか判断するようにさらに動作可能であり、及びコントローラは、ユーザが手術装置を使用するように権限を与えられているかどうかを判断するために、ＲＦＩＤタグから受信したデータセットにアルゴリズムを適用する。ユーザが手術装置を使用する権限を与えられていない場合（例えば、外科医、技術者、又は患者は間違った手術装置である）、手術装置を動作しないようにするように動作可能である。
2009502337.tif 000002
【特許請求の範囲】
【請求項１】
手術装置を設定するシステムであって、
前記手術装置に含まれ、及び、データを受信するように動作可能なインタフェース、
データセットを格納且つ送信するよう動作可能な無線識別（ＲＦＩＤ）タグを備えるポータブルコンポーネント、
前記手術装置に含まれ、及び、基準を格納するメモリ、及び、
前記手術装置に含まれ、及び、前記ＲＦＩＤタグから送信され且つ前記インタフェースで受信したデータセットに基づいて、前記手術装置を設定するように動作可能なコントローラ、
を有するシステム。
【請求項２】
前記インタフェースは、前記ポータブルコンポーネントのＲＦＩＤタグを作動させるために、無線（ＲＦ）指示を送信するように動作可能なＲＦＩＤリーダ、及び、該ＲＦＩＤリーダに前記ＲＦ指示を送信させるように動作可能なマイクロコントローラを備えるＲＦＩＤインタフェースである請求項１に記載のシステム。
【請求項３】
前記ポータブルコンポーネントは、ユーザに取り付けるために動作可能な識別タグである請求項１に記載のシステム。
【請求項４】
前記基準は、前記メモリに格納されるユーザ認証データであり、及び、
前記コントローラは、前記ポータブルコントローラに関係するユーザが、前記ＲＦＩＤタグから送信され且つ前記インタフェースで受信された前記データセットが前記メモリに格納された前記基準を満たすかどうかに基づいて、前記手術装置を使用する権限を与えられているかどうかを判断するように動作可能であり、及び、
前記ＲＦＩＤタグから受信した前記データセットは、前記ユーザが前記手術装置を使用する権限を与えられているかどうかを判断するために、前記コントローラで前記ユーザ承認データと比較される請求項１に記載のシステム。
【請求項５】
前記基準は、アルゴリズムであり、
前記コントローラは、前記ポータブルコンポーネントに関係するユーザが、前記ＲＦＩＤタグから送信され且つ前記インタフェースで受信されたデータセットが前記メモリに格納された前記基準を満たすかどうかに基づいて前記手術装置を使用するように権限を与えられているかどうか判断するようにさらに動作可能であり、及び、
前記コントローラは、前記ユーザが前記手術装置を使用するように権限を与えられているかどうかを判断するために、前記ＲＦＩＤタグから受信した前記データセットに前記アルゴリズムを適用する請求項１に記載のシステム。
【請求項６】
前記ＲＦＩＤタグは、受動タグである請求項１に記載のシステム。
【請求項７】
前記ＲＦＩＤタグは、能動タグである請求項１に記載のシステム。
【請求項８】
前記インタフェースは、データを受信及び送信するように動作可能であり、前記ＲＦＩＤタグは、第２データセットを受信及び格納するように動作可能である請求項１に記載のシステム。
【請求項９】
前記インタフェースは、前記第２データセットと共に前記ＲＦＩＤタグをプログラムするように動作可能であり、前記データセット及び前記第２データセットは異なる請求項８に記載のシステム。
【請求項１０】
前記データセットは、患者識別データ、外科医カスタム設定データ、サービスデータ、メンテナンスデータ、手術装置キャリブレーションデータ、及び手術装置設定データからなるグループから選択されたデータを含む請求項１に記載のシステム。
【請求項１１】
前記手術装置を設定することは、前記データセットに基づいて選択されたデータフィールドにデータ投入することを有する請求項１に記載のシステム。
【請求項１２】
前記手術装置を設定することは、前記データセットに基づいた使用に備えて、既定の値に選択された手術装置パラメータを設定することを含む請求項１に記載のシステム。
【請求項１３】
前記手術装置を設定することは、修理又はメンテナンスに備えてサービス設定に前記手術装置を配置することを含む請求項１に記載のシステム。
【請求項１４】
前記データセットで前記ＲＦＩＤタグをプログラムするように動作可能な入力装置インタフェースを有する入力装置をさらに備え、
前記入力装置は、前記手術装置とは異なる請求項１に記載のシステム。
【請求項１５】
前記インタフェース及び前記入力装置インタフェースは、同じインタフェースである請求項１４に記載のシステム。
【請求項１６】
前記手術装置は、眼のレーザ、硝子体網膜手術装置、及び水晶体超音波乳化吸引システムからなるグループから選択される請求項１に記載のシステム。
【請求項１７】
前記コントローラは、前記ポータブルコンポーネントに関係するユーザが、前記ＲＦＩＤタグから送信され且つ前記インタフェースで受信されるデータセットが前記メモリに格納される前記基準を満たすかどうかに基づいて前記手術装置を使用する権限を与えられているかどうかを判断するようにさらに動作可能であり、及び、
前記ユーザが前記手術装置を使用する権限を与えられていない場合、前記手術装置を動作しないようにするように動作可能である請求項１に記載のシステム。
【請求項１８】
前記データセットは、暗号化されており、前記コントローラは、暗号化データを復号するように動作可能である請求項１に記載のシステム。
【請求項１９】
手術装置を設定するシステムであって、
前記手術装置に含まれ、及び、データを受信するように動作可能なインタフェース、
データセットを格納且つ送信するよう動作可能な識別子を備えるポータブルコンポーネント、
前記手術装置に含まれ、及び、基準を格納するメモリ、及び、
前記手術装置に含まれ、及び、前記ＲＦＩＤタグから送信され且つ前記インタフェースで受信したデータセットが、前記メモリに格納された前記基準を満たすかどうかに基づいて、前記ポータブルコンポーネントに関係するユーザが、前記手術装置を使用する権限を与えられているかどうかを判断するように動作可能であるコントローラ、
を有するシステム。
【請求項２０】
前記識別子は、ＲＦＩＤタグであり、
前記インタフェースは、前記ポータブルコンポーネントのＲＦＩＤタグを作動させるために、無線（ＲＦ）指示を送信するように動作可能なＲＦＩＤリーダ、及び、該ＲＦＩＤリーダに前記ＲＦ指示を送信させるように動作可能なマイクロコントローラを備えるＲＦＩＤインタフェースである請求項１９に記載のシステム。
【請求項２１】
前記ポータブルコンポーネントは、ユーザに取り付けるために動作可能な識別タグである請求項１９に記載のシステム。
【請求項２２】
前記基準は、前記メモリに格納されるユーザ認証データであり、及び、
前記識別子から受信した前記データセットは、前記ユーザが前記手術装置を使用する権限を与えられているかどうかを判断するために、前記コントローラで前記ユーザ承認データと比較される請求項１９に記載のシステム。
【請求項２３】
前記基準は、アルゴリズムであり、
前記コントローラは、前記ユーザが前記手術装置を使用するように権限を与えられているかどうかを判断するために、前記識別子から受信した前記データセットに前記アルゴリズムを適用する請求項１９に記載のシステム。
【請求項２４】
前記インタフェースは、データを受信及び送信するように動作可能であり、前記識別子は、第２データセットを受信及び格納するように動作可能である請求項１９に記載のシステム。
【請求項２５】
前記インタフェースは、前記第２データセットと共に前記識別子をプログラムするように動作可能であり、前記データセット及び前記第２データセットは異なる請求項２４に記載のシステム。
【請求項２６】
前記データセットは、患者識別データ、外科医カスタム設定データ、サービスデータ、メンテナンスデータ、手術装置キャリブレーションデータ、及び手術装置設定データからなるグループから選択されたデータを含む請求項１９に記載のシステム。
【請求項２７】
前記手術装置を設定することは、前記データセットに基づいて選択されたデータフィールドにデータ投入することを有する請求項１９に記載のシステム。
【請求項２８】
前記手術装置を設定することは、前記データセットに基づいた使用に備えて、既定の値に選択された手術装置パラメータを設定することを含む請求項１９に記載のシステム。
【請求項２９】
前記手術装置は、眼のレーザ、硝子体網膜手術装置、及び水晶体超音波乳化吸引システムからなるグループから選択される請求項１９に記載のシステム。
【請求項３０】
前記ユーザが前記手術装置を使用する権限を与えられていない場合、前記手術装置を動作しないようにするように動作可能である請求項１９に記載のシステム。
【請求項３１】
前記データセットは、暗号化されており、前記コントローラは、暗号化データを復号するように動作可能である請求項１９に記載のシステム。
【請求項３２】
手術装置を設定する方法であって、
データセットを格納且つ送信するよう動作可能な識別子を備えるポータブルコンポーネントを提供し、
基準を設け、前記手術装置のメモリに該基準を格納し、
前記手術装置にデータを受信するように動作可能なインタフェースへ前記識別子から前記識別子内に格納されたデータセットを送信し、
前記識別子から送信され且つ前記インタフェースで受信したデータセットが、前記メモリに格納された前記基準を満たすかどうかに基づいて、前記ポータブルコンポーネントに関係するユーザが、前記手術装置を使用する権限を与えられているかどうかを、前記手術装置のコントローラで判断することを、
有する方法。
【請求項３３】
前記識別子は、ＲＦＩＤタグであり、
前記インタフェースは、前記ポータブルコンポーネントのＲＦＩＤタグを作動させるために、無線（ＲＦ）指示を送信するように動作可能なＲＦＩＤリーダ、及び、該ＲＦＩＤリーダに前記ＲＦ指示を送信させるように動作可能なマイクロコントローラを備えるＲＦＩＤインタフェースである請求項３２に記載の方法。
【請求項３４】
前記ポータブルコンポーネントは、ユーザに取り付けるために動作可能な識別タグである請求項３２に記載の方法。
【請求項３５】
前記基準は、前記メモリに格納されるユーザ認証データであり、及び、
前記識別子から受信した前記データセットを、前記ユーザが前記手術装置を使用する権限を与えられているかどうかを判断するために、前記コントローラで前記ユーザ承認データと比較することをさらに有する請求項３２に記載の方法。
【請求項３６】
前記基準は、アルゴリズムであり、
前記ユーザが前記手術装置を使用するように権限を与えられているかどうかを判断するために、前記識別子から受信した前記データセットに前記アルゴリズムを前記コントローラで適用することをさらに有する請求項３２に記載の方法。
【請求項３７】
前記インタフェースは、データを受信及び送信するように動作可能であり、前記識別子は、第２データセットを受信及び格納するように動作可能である請求項１９に記載の方法。
【請求項３８】
前記インタフェースは、前記第２データセットと共に前記識別子をプログラムするように動作可能であり、前記データセット及び前記第２データセットは異なる請求項２４に記載の方法。
【請求項３９】
前記データセットは、患者識別データ、外科医カスタム設定データ、サービスデータ、メンテナンスデータ、手術装置キャリブレーションデータ、及び手術装置設定データからなるグループから選択されたデータを含む請求項３２に記載の方法。
【請求項４０】
前記手術装置を設定することは、前記データセットに基づいて選択されたデータフィールドにデータ投入することを有する請求項３２に記載の方法。
【請求項４１】
前記手術装置を設定することは、前記データセットに基づいた使用に備えて、既定の値に選択された手術装置パラメータを設定することを含む請求項３２に記載の方法。
【請求項４２】
入力装置インタフェースを有する入力装置でデータセットと共に前記識別子をプログラミングし、
前記入力装置は前記手術装置と異なる請求項３２に記載の方法。
【請求項４３】
前記インタフェースと前記入力装置インタフェースとは同じインタフェースである請求項３２に記載の方法。
【請求項４４】
前記手術装置は、眼のレーザ、硝子体網膜手術装置、及び水晶体超音波乳化吸引方法からなるグループから選択される請求項３２に記載の方法。
【請求項４５】
前記ユーザが前記手術装置を使用する権限を与えられていない場合、前記手術装置を動作しないようにするように動作可能である請求項４４に記載の方法。
【請求項４６】
前記データセットは、暗号化されており、前記コントローラは、暗号化データを復号するように動作可能である請求項１に記載の方法。
【発明の詳細な説明】
【技術分野】
【０００１】
本発明は、手術装置（surgical device）を用いて実行される外科的処置に関し、特に、手術装置を設定し且つ手術装置にデータ投入する方法及びシステムに関する。より詳細には、本発明は、手術装置を設定し且つ手術装置にデータ投入するためのデータを送信及び受信するために、電気的識別子を用いる方法及びシステムに関する。
【背景技術】
【０００２】
本出願は、アメリカ合衆国法典第３５巻第１１９条の下で、２００５年７月２９日に出願された仮出願番号６０／７０３，７２４に関する優先権を主張し、その全内容は、参照によりここに組み込まれる。
【０００３】
患者が、病状のための対象処置を受けることを確実にすることは、医療従事者の究極のゴールである。特に、患者が誤った外科手術、又は、誤った体部分に正しい外科手術を被らないことを確実にすることは、患者の健康と安全のために決定的に重要である。これらの状況は、不幸なだけでなく、患者には、悲惨で命にかかわる結果にすらなる。さらに、手術提供者によって受けられる不利益は非常に大きい。そのような誤った処置の正確な数は不明であるが、対象となる外科手術と患者を適合するとき、誤りの機会を好ましくは削減し、減少させることがゴールとなる。
【０００４】
外科手術の数及び複雑性は、上記したような誤りが生じる可能性の中で結果として増加しながら、日々増大している。現在のところ、大部分のそのような誤りは、患者と、対象となる外科手術及び手術装置に対するその患者に関係する重要なデータとを適合するために、意識的及び厳格な要求によって回避されている。しかしながら、特に忙しく動き急ぐ臨床環境において多くの患者に対して処置を行うとき、人員への大部分の厳格な要求ですら、ヒューマンエラーの可能性を削減することはできない。典型的には、対象となる外科手術の患者と手術装置との適合は、患者の識別ブレスレットとカルテとをチェックすることからなる。そのような状況下では、誤って表示されたブレスレットを割り当てられる可能性があり、又は、患者に処置との適合が正しくされるが、その処置は、体の間違った部分又は既定の手術装置に関する誤ったパラメータを用いて施される可能性がある。そのため、確実に患者を識別し、対象となる手術装置のための正しいパラメータを用いた正しい外科手術と患者とを適合することは、ますます重要になる。明確な患者と手術との適合を確実にするために、手術装置を設定しデータ投入する現在の方法は、今日の手術環境において十分に有効ではなく、信頼できるものではない。
【０００５】
患者−手術適合を確認し且つ確かめる１つの方法が、米国特許出願１０／７３７，６０９に開示され、その内容の全部は、参照によりここに組み込まれる。インクレス指紋システム、いわゆる「ライブスキャンユニット（live-scan unit）」といわれる、網膜スキャン、掌形認証測定装置、音声認識、筆跡認証、及び光学又は赤外線カメラのいずれかを使用する顔認証システムを含む生体認証システムは、信頼できるが、そのため、通常はアクセス制御及びあるイベントの後に人間を追跡又は識別するために使用される。しかしながら、この種のシステムは、患者−外科処置の適合の安全性を改良する一方で、外科処置の前に手術装置に設定やデータ投入する手段を単独では提供しない。医療従事者の別なゴールは、外科処置の効率を改善し、時間（結果的に、コスト）を削減することである。手術装置の設定及びデータ入力の形態を自動化する能力は、このゴールに向けて大きく進むことになる。
【０００６】
このように、正しい患者／外科処置／手術装置適合を確実にすることによって、外科処置の安全性を改善するシステム及び方法を越えて、改良されたシステム及び方法は、外科処置に向けて設定及びデータ投入を簡素化する必要性もある。手術装置は、手術が実行される前に、ある入力を得る。例えば、患者のデータ（例えば、名前、年齢、性別等）、手術データ（例えば、手術の種類、体部位等）装置設定（例えば、電力、時間等）、好ましい手術設定の確認、サービス人員入力（例えば、キャブリレーション、メンテナンス記録、及びソフトウェア更新）、及び他のデータが、更新として確認されなければならない。同様に、手術装置は、装置内に格納され、例えば、別個の記録を設け且つユーザに対して読み出しを提供するための出力として提供される外科医の名前、装置、診断、メンテナンス、キャリブレーション設定等を含む実行された処置の患者の履歴のような出力をも提供する。
【０００７】
手術装置の入力及び出力は、典型的には、キーボード及びマウスを介して、及び／又は、ＵＳＢポート、イーサネット（登録商標）、プリンタ、ＣＤ、フロッピ等を用いたファイル転送を介して実行される。言い換えれば、入力／出力は、典型的には、インタフェースを介して手動で捕捉され、予備操作処理及び術後追跡調査の間に外科医又は外科医のアシスタントにより記録された入力として、又は、サービス入力の場合は、サービス技術者による記録された入力として生じる。この種の情報は、典型的には、ハードコピーの患者記録及び／又はサービス記録の中で保持される。これらの方法が信頼でき且つ必要（例えば、紙の記録がバックアップとして望ましい）である一方、それらは、外科処置前、外科処置の間、外科処置の後、及び／又は、サービス訪問の間に付加的な手動ステップを必要とするという欠点があり、そのため、実行するための付加的な時間とリソースを必要とする。データの手動入力の必要性のため、外科処置を実行時の同時に生じる遅延はもちろんのこと、入力を読む（確認する）とき、及び、手術装置の中に情報を入力するときの両方において誤りの可能性が結果として起こる。そのため、外科処置のフローは、混乱し、外科医の効率性及び時間管理は減少する。
【０００８】
特定の医療器具の種類及び限定された効果とともに、これらの問題の幾つかを解決しようとするものがある。１つのアプローチは、無線識別（ＲＦＩＤ）システムを利用するものである。ＲＦＩＤシステムは、よく知られており、電子タグ又は格納データのためのトランスポンダを使用する。あるＲＦＩＤシステムは、タグが送信された無線信号の近くに運ばれるとき始動される受動タグを使用し、一方、他のＲＦＩＤシステムは、独立して作動する電源を含む能動タグを使用する。
【０００９】
ＲＦＩＤタグ（装置）は、医療器具の特定種類に使用されるが、出願人の認識では、ＲＦＩＤ技術は、眼科手術システム及び部品に効果的に適用されておらず、他の手術システム及び部品に適用されていない。例えば、あるシステムは、光ファイバストランドが体に挿入される医療レーザシステムの廃棄光ファイバ部品に関連して、ＲＦＩＤ装置を使用する。そのストランドは、体液に晒され、使用毎に全面的に消毒した後に、廃棄されなければならない。他の既知のシステムは、血管系内に挿入され心臓に向けられるカテーテルと共にＲＦＩＤ装置を使用する。しかしながら、これらの既知のシステムは、特定の手術装置のためにＲＦＩＤを使用し、そして、手術装置に対する個々の患者、外科医、又はサービス人員の識別、又は、手術装置にする設定及びデータ投入を提供しない。
【００１０】
別なＲＦＩＤシステム及び技術は、手術道具を追跡するために使用される。あるセンサシステムは、手術用具がチェック／使用される時間のたびに時間を記録する。手術用具が使用されたとき、手術用具センサの上又は隣に置かれ、チェック情報が記録される。このシステムは、処置中の手術用具を追跡するために使用され、不注意で、医療用具が患者の中に置かれることがないことを保障するために使用される。
【００１１】
そのため、既知のＲＦＩＤシステム及び技術は、患者や医者を識別すること、又は、手術用具のデータを投入することを提供しない。さらに、通常は、他の医療装置と共にＲＦＩＤタグの使用は基本識別機能、用具を使用できる又は使用できないに制限される。したがって、既知のシステムは、他のもっと役に立つ、手術装置に関するデータ、及び、その機能性、又は、患者及び彼／彼女が要求するパラメータ、外科医の所望の機器設定、及び／又はサービス技術者のメンテナンス情報を含む情報、手術装置とそのようなデータとの同期を提供しない。例えば、サービス情報は、キャリブレーションデータ及び／又はその装置の履歴に関連するデータを含む。したがって、患者、外科医、及びサービス技術者は、手術装置と特定する方法、及び、手術装置を設定及びデータ投入する共有情報は改良される。例えば、ＲＦＩＤ装置のようなデータ送信装置は、個人識別、設定、データ投入、及び既知のシステムによって提供されない他の機能を実行するために組み込むことが可能となり、外科医又はサービス人員のようなユーザに手術装置に関連する情報を提供するために使用され得る。
【発明の開示】
【発明が解決しようとする課題】
【００１２】
それゆえ、手術環境において患者及び／又は外科処置の外科医を適合する以前の方法に関連する問題を減らし又は減少する手術装置を設定及びデータ投入する方法及びシステムが必要される。さらに、患者、外科医、及び／又は手術装置及び／又は外科処置のサービス技術者の間のデータ同期及び適合を改良するサービス技術のための同じタイプの設定及びデータ交換機能を提供する方法及びシステムが必要とされる。
【課題を解決するための手段】
【００１３】
本発明の手術装置を設定し且つデータ投入する方法及びシステムの実施例は、これらの要求などに実質的に合うものである。本発明の一実施例は、手術装置を設定するシステムであって、上記手術装置に含まれ、及び、データを受信するように動作可能なインタフェース、データセットを格納且つ送信するよう動作可能な識別子を備えるポータブルコンポーネント、上記手術装置に含まれ、及び、基準を格納するメモリ、及び、上記手術装置に含まれ、及び、上記ＲＦＩＤタグから送信され且つ上記インタフェースで受信したデータセットに基づいて、上記手術装置を設定するように動作可能なコントローラ、を有するシステムである。上記識別子は、ＲＦＩＤタグであり、上記インタフェースは、上記ポータブルコンポーネントのＲＦＩＤタグを作動させるために、無線（ＲＦ）指示を送信するように動作可能なＲＦＩＤリーダ、及び、該ＲＦＩＤリーダに上記ＲＦ指示を送信させるように動作可能なマイクロコントローラを備えるＲＦＩＤインタフェースである。上記ポータブルコンポーネントは、ユーザに取り付けるために動作可能な識別タグである。
【００１４】
上記基準は、上記メモリに格納されるユーザ認証データであり、及び、上記コントローラは、上記ポータブルコントローラに関係するユーザが、上記ＲＦＩＤタグから送信され且つ上記インタフェースで受信された上記データセットが上記メモリに格納された上記基準を満たすかどうかに基づいて、上記手術装置を使用する権限を与えられているかどうかを判断するように動作可能である。例えば、上記ＲＦＩＤタグから受信した上記データセットは、上記ユーザが上記手術装置を使用する権限を与えられているかどうかを判断するために、上記コントローラで上記ユーザ承認データと比較される。上記基準は、アルゴリズムであり、上記コントローラは、上記ポータブルコンポーネントに関係するユーザが、上記ＲＦＩＤタグから送信され且つ上記インタフェースで受信されたデータセットが上記メモリに格納された上記基準を満たすかどうかに基づいて上記手術装置を使用するように権限を与えられているかどうか判断するようにさらに動作可能であり、及び、上記コントローラは、上記ユーザが上記手術装置を使用するように権限を与えられているかどうかを判断するために、上記ＲＦＩＤタグから受信した上記データセットに上記アルゴリズムを適用する。上記ユーザが上記手術装置を使用する権限を与えられていない場合（例えば、外科医、技術者、又は患者は間違った手術装置である）、上記手術装置を動作しないようにするように動作可能である。
【００１５】
上記インタフェースは、データを受信及び送信するように動作可能であり、上記ＲＦＩＤタグは、第２データセットを受信及び格納するように動作可能である。上記インタフェースは、上記第２データセットと共に上記ＲＦＩＤタグをプログラムするように動作可能であり、２つのデータセットは異なっても良い。上記データセットは、患者識別データ、外科医カスタム設定データ、サービスデータ、メンテナンスデータ、手術装置キャリブレーションデータ、及び手術装置構成データからなるグループから選択されたデータ等であり、暗号化されても良い。上記手術装置を設定することは、上記データセットに基づいた使用に備えて、既定の値に選択された手術装置パラメータを設定することを含み、及び／又は、修理又はメンテナンスに備えてサービス設定に上記手術装置を配置することを含むことができる。
【００１６】
本発明のさらなる実施例は、手術装置を設定する方法であって、データセットを格納且つ送信するよう動作可能な識別子を備えるポータブルコンポーネントを提供し、基準を設け、上記手術装置のメモリに該基準を格納し、上記手術装置にデータを受信するように動作可能なインタフェースへ上記識別子から上記識別子内に格納されたデータセットを送信し、上記識別子から送信され且つ上記インタフェースで受信したデータセットが、上記メモリに格納された上記基準を満たすかどうかに基づいて、上記ポータブルコンポーネントに関係するユーザが、上記手術装置を使用する権限を与えられているかどうかを、上記手術装置のコントローラで判断することを、有する方法を含むことができる。
【００１７】
本発明の一実施例によれば、手術装置を設定し且つデータ投入するシステムは、ユーザによって運ばれ又はユーザに取り付けられる無線識別（ＲＦＩＤ）タグ、受信機、及び／又は、トランシーバ、基準を格納するメモリを含み、それらは、手術装置に含まれる。ＲＦＩＤタグからのデータは、眼科手術装置の中の受信機に送信される。コントローラは、送信したデータを受信し、データに従って手術装置を設定するように動作可能であり、送信したデータの部分で様々なデータフィールドにデータを投入するように動作可能である。送信データは、暗号化され又は復号化され、さらに、１つ以上の処理、安全性チェック、又は認証ステップを生じさせるために、手術装置メモリの中に格納されたデータと適合が取られる。本発明の方法及びシステムの様々な実施例は、患者／外科処置／手術装置の適合におけるさらなる安全性を提供するために、全体が参照によりここに組み込まれる米国特許出願番号１０／７３７，６０９に開示される生体手術装置のためのシステムと共に使用可能である。
【００１８】
本発明の別な実施例によれば、手術装置を設定し且つデータ投入する方法は、基準を設け、基準を手術装置のメモリに格納し、眼科手術装置内の受信機に対してタグ又は他の装用できるコンポーネント内の識別子からデータを送信することを含む。タグから受信したデータは、眼科手術装置を設定及び／又はデータ投入するように処理される。
【００１９】
様々な実施例では、情報の基準は、メモリに格納される認証データ、例えば、患者／外科医／技術者特定データである。識別子（タグ）から受信したデータは、例えば、患者が正しい患者であるかどうか、外科医と患者が適合するかどうか、外科医及び処理又は患者又は処置が適合するかどうか、サービス技術者が特定機会などで作業する権限を与えられているかどうかを判断するために、認証データと比較される。例えば、手術装置は、受信データが認証データ基準と適合する場合、有効になる。さらに、その基準は、アルゴリズム、数式又は他の所望の基準（一般に「アルゴリズム」）である。そのアルゴリズムは、受信したデータがアルゴリズム又は数式を解く又は満たすかどうか、そしてそれより、外科医、サービス技術者、又は患者が適切に所定の手術装置に適合するかどうかを判断するために、タグから受信したデータは適用される。
【００２０】
様々な実施例では、異なる手術装置及びコンポーネントが利用される。例えば、眼科手術装置は、レーザ又はレーザコンソール、又はビトロレチナール（vitro-retinal）手術装置であっても良い。さらに、受信機は、ＲＦＩＤリーダであり、識別タグは、ＲＦＩＤタグ、ＲＦＩＤタグ又は識別子内のデータは、暗号化され又は復号化される。
【００２１】
システム実施例は、手術装置内の様々なデータフィールドを外科手術のための手術装置に設定する及び／又はデータ投入するように実装される。識別タグから受信したデータが基準を満たす場合、装置は有効になり、設定され、データ投入される。外科医又はサービス技術者（例えば、正しい患者ではない、患者及び対象処理が適合しない、又は手術装置が特定の更新や実行されるべきメンテナンスを要求する）に対して手術装置でメッセージが発生するように、安全の事前警告は、本発明の実施例で実装される。さらに、データは、データの使用、患者情報、処置ステップ、処置の長さ、適合のパラメータ、メンテナンス状況等を含むことができる。
【００２２】
識別タグの様々な実施例は、手術装置が、特定の手術のための特定の患者と共に特定の手術の作動のため、どのように設定すべきかを示すキャリブレーションデータを含むことができる。識別、データ、及び／又は、キャリブレーションデータは、様々な目的に使用できる。例えば、画面表示に表示されるユーザインタフェースは、実行されるべき特定の処置に基づいて発生する。データは、対象処置及び対象患者に相当する動作パラメータを有効にするために使用され、且つ外科医が使用を望まない対象処置に相当する動作パラメータを無効にするために使用される。データは、電力値、照射範囲、及び他の動作パラメータを制限し、対象処置に関係するフィルタのような安全コンポーネントがあるかどうかをチェックするように、安全処置を実行するように使用され得る。
【００２３】
本発明の方法及びシステムの実施例は、手術環境内で実装可能であり、特に、レーザ屈折矯正手術システム、水晶体超音波乳化吸引（cataract phacoemulsification）システム、ビトロレチナール（vitro-retinal）システムのような眼科手術環境で実装可能である。例えば、本発明の実施例は、テキサス、フォートワースのアルコン研究所によるＬＡＤＡＲＶｉｓｉｏｎ（登録商標）システム、ＡＣＣＵＲＵＳ（登録商標）手術システム、及び／又は、ＩＮＦＩＮＩＴＩ（登録商標）ビジョンシステムで実装可能である。本発明の手術装置を設定し且つデータ投入する方法及び／又はシステムの他の使用は、当業者に知られており、且つ、本発明の精神及び範囲内で考慮され得る。
【発明を実施するための最良の形態】
【００２４】
本発明のより完全な理解及びその効果は、同じ参照符号が同じ特徴を示す添付図と共に、次の記述を参照することによって得られるだろう。
【００２５】
本発明の好ましい実施例は、参照符号を種々の対応部分を参照するために使用した図面において説明される。
【００２６】
本発明の様々な実施例は、レーザ屈折矯正手術システム、ビトロレチナールシステム、水晶体超音波乳化吸引システム、その他の手術システムのような手術システム又は装置を設定し且つデータ投入するシステム及び方法を提供する。本発明の方法及びシステムの実施例は、例えば、患者の兆候を入力し且つ格納し、且つ、所望の外科処置を患者の兆候と関係付けるためのユーザインタフェースと連結する、当業者にとって既知のような手術システムを備えることができる。手術システム又は装置は、単一部品又は複数部品のシステムであり、そこでは、患者情報を手術システムの第１ユニットで外科処置の第１ステップとして獲得することができ、且つ、手術それ自身が手術システムの第２ユニットで実行され得る。第１及び第２ユニットは、単一の組み合わされたユニットであってもよく、又、別個のユニットでも良い。本発明のシステムの実施例は、ポータブル記憶装置上の情報を送信及び格納するために、入力装置でプログラミング・インタフェースをさらに備えることもできる。プログラミング・インタフェースは、例えば、ポータブル識別子／タグをプログラミングするための無線又は有線インタフェースであり得る。タグは、手術装置へ情報を送信、及び、手術装置から情報を受信するため、手術装置と無線接続するように動作可能である。手術装置は、ポータブルユニット（タグ）とインタフェースをとるための入力／出力インタフェースを備えることもできる。
【００２７】
例えば、ポータブルタグは、番号、患者の写真、特定の患者、外科医、サービス技術者のような人間に関係付けられるタグを識別するための他の手段を含む。さらに、好ましい実施例では、タグそれ自身は、タグ、手術装置、及び／又は入力装置間の情報を格納、送信、及び受信するためのＲＦＩＤを含み得る。好ましい実施例では、手術装置及びポータブルタグ間のインタフェースは、無線インタフェースである。タグは、例えば、ユーザに取り付けられることができ、且つ、ここで開示された機能を含みうるキーチェーン、人形、ブレスレット等を含むポータブルコンポーネントになり得る。本発明の実施例は、制限するものではないが、患者のデータ、外科医のデータ、装置設定及びメンテナンスデータ、及び／又はサービス技術カスタムデータのために使用され得る。
【００２８】
図１は、本発明の一実施例を説明する簡略ブロック図である。システム１０は、スタンドアロン装置か、手術装置又は手術コンソールに組み込まれるかどちらかである入力装置１２を有する。入力装置１２は、ポータブルタグ１４と通信する（例えば、一方向又は双方向）インタフェース１３を含む。インタフェース１３は、患者識別データ、外科医プリファレンス、所望の外科処置に関係する手術装置パラメータ、及び／又は、一実施例ではサービスインタフェース、サービス技術者の又は手術装置のキャリブレーションデータ、メンテナンスデータ、更新データ等を含むデータで、タグ１４にプログラム／データ投入するための無線又は有線接続を有することができる。タグ１４は、例えば、手術装置１６及び入力装置１２に無線接続できる組込みＲＦＩＤチップと共に識別タグを有するＲＦＩＤタグであっても良い。例えば、手術装置１６は、当業者によって知られているレーザ屈折矯正手術システム、ビトロレチナールシステム、又は水晶体超音波乳化吸引システムであっても良い。手術装置１６は、タグ１４へ情報を送信、及び／又は、タグ１４から情報を受信するためのインタフェース１８を含む。
【００２９】
一実施例では、患者、外科医、又はサービス情報は、最初に手動で（例えば、紙又は別個の装置に）記録され得る。例えば、患者データは、吸気処置、屈折矯正のための波面分析のような診断ステップの間、又は、患者データを取得し且つ患者データと外科処置とを関係付けるためのただのスタンドアロンステップの間に、取得される。それから、データは、入力装置１２を介して手動で入力され、且つ、インタフェース１３を介してタグ１４に送信／プログラムされる。タグ１４は、ユーザと、例えば、写真、番号、タグ１４に組み込まれる指紋などの生体データを介して関係付けられ得る。手動入力の代わり（又は加えて）、従前に格納されたデータが、電気的に入力装置１２に送信される。タグ１４は、患者に対して、例えば、リストストラップ、ネックストラップ、クリップ、当業者に知られる他の取り付け手段によって取り付けられる。さて、タグ１４は、ユーザに取り付けられ、例えば、事前形成されたＩＤタグでも良く、患者の写真又は他の識別（例えば、生体情報）を含むことができる。タグ１４は、患者を、外科処置のステップを経過する状態にし続ける。タグ１４が無い場合、手術装置は、紛失状況を示すための警告を出力する。
【００３０】
外科処置の開始前に、手術装置１６では、患者のタグ１４がインタフェース１８の近傍に運ばれ、ＲＦＩＤケースのように、タグ１４に格納された情報は、手術装置１６に転送され、そこでは、手術装置１６は、タグ１４に格納された情報に基づいて手術装置１６に事前設定及びデータフィールドのデータ投入をもたらすように動作可能になる。類似の方法で、手術装置１６は、外科医に関係するタグ１４によって設定及び／又はデータ投入され得る。タグ１４は、特定装置のための外科医のプリファレンス、及び／又は、特定の処置を含み、入力装置１２及びインタフェース１３を介して再度プログラム可能にもなる。そのようなケースでは、タグ１４は、例えば、特定の患者、装置、日付、又は処置のための外科医の所望の情報、又は、手術装置又は装置のための外科医の初期設定を格納する。
【００３１】
ただ１つの手術装置１６に関してここでは記述されるが、ただ１つのタグ１４が複数の手術装置１６を設定、プログラム、又はデータ投入する情報を含むことが本発明の範囲内に含まれることが考慮される。例えば、外科処置が１つ以上の手術装置１６を要求し、患者のタグ１４が、１つ以上の手術装置１６のためのデータを格納し、そして、１つ以上の手術装置１６を設定しデータ投入するために使用され得る。同様に、サービス技術者のタグ１４は、複数の手術装置１６のためのキャリブレーションデータ、メンテナンスデータ、更新データ等で設定される。さらに、タグ１４に含まれる情報は、手術装置１６及び入力装置１２のデータを暗号化／非暗号化するための対応する手段と共に暗号化又は非暗号化され得る。２００４年１２月１５日出願の米国特許出願番号１１／０１３，２４４で開示された暗号化スキームは、参照によりその全体がここに組み込まれ、本発明の実施例に使用される。
【００３２】
本発明の手術装置を設定し且つデータ投入する方法及びシステムの実施例は、眼の手術の一般的な分野における使用に関してここで議論される。しかしながら、本発明の範囲は、眼科に制限されず、外科処置が要求され必要とされる前に、手術装置を設定し且つデータ投入する他の外科領域に一般に適用され得るということを、当業者であれば認識し考慮するだろう。さらに、本発明の実施例は、アナログ手法における非手術用具を設定するために使用され得る。
【００３３】
本発明の実施例は、外科処置の前に手術装置１５を設定及び／又はデータ投入するための手術装置１６に操作的に連結され得るポータブルタグ１４に統合される電機識別子を提供する。電気識別子は、患者、外科医又はサービス技術者の情報を識別し、且つ、患者、サービス技術者又は手術情報と手術装置１６とを関係付け；手術装置１６で使用される用具を選択的に可能及び不可能にし；外科処置又は手術のプリファレンスのための手術装置１６のパラメータを設定し；キャリブレーションデータ、メンテナンスデータ、アップグレード又は更新データ、タグ１４と手術装置１６との間の情報及びサービスデータを送信すること；を含みながら、データを送信／受信／格納するように動作可能である。
本発明の実施例は、従来技術を超えて増加した信頼性及び機能性を提供し、そのため、患者／外科処置／手術装置を適合すること、並びに、手術装置及び／又は外科処置のための外科医の所望の設定が正確に且つ効率的に手術装置１６に入力されることを確実にすることを助けることによって、眼科外科処置のような外科処置有効性及び安全性を改善する。これらの又は他の形態は、さらに詳細に下記で議論される。
【００３４】
図２は、システム１０をより詳細に示す本発明の一実施例を説明する簡略ブロック図である。システム１０は、手術装置１６に無線接続されるように動作可能な手術装置１６及びポータブルタグ１４を含む。識別子１０２は、データ１０４を手術装置１６の受信機１１２に送信する（受信機１１２からデータ１０５を受信することもできる）。データ１０４は、手術装置１６を設定するため、及び／又は、タグ１４が割り振られている患者、外科医、又はサービス技術者に関係するデータフィールドにデータ投入するために使用される。さらに、データ１０４は、暗号化されても良く、且つ、外科医、技術者又は患者が手術装置１６を使用する権限を与えられているかどうかを判断するような安全機能を提供することができる。データ１０４は、ここで記述された様々な情報のどれも含むことができる。特に、各タグ１４は、独自のデータ１０４でプログラム可能である。
【００３５】
手術装置１１０は、認証コード又はデータ又はアルゴリズム、数式又は他の既定の基準（一般には「アルゴリズム」）の対応セットのような、基準１１６を格納するメモリ１１４を含む。メモリ１１４は、すぐにアクセス可能なメモリエレメント、又は、安全性要件に従って、他のシステム内に統合されるメモリエレメントであり得る。プロセッサ又はマイクロコントローラ（一般にコントローラ）のようなコントローラ１１５は、ソフトウェア、又は、識別子１０２から受信したデータ１０４を処理し、且つ、例えばタグ１４の中の識別子１０２から受信したデータ１０４が認定ユーザ、患者、医者、又はサービス技術者に関係するかどうかを判断するため、及び、手術装置１６が有効であるべきか無効であるべきかを判断するためにメモリ１１４の中に格納された基準１１６を処理するハードウェア１１７でプログラミングされる。
さらに、コントローラ１１５は、手術装置１６を設定し且つデータ１０４にしたがって選択されたデータフィールドにデータ投入するために、手術装置１６に対して制御信号を生成するように動作可能である。
【００３６】
一実施例では、手術装置１１０は、眼科レーザコンソールであり、識別子１０２は、ＲＦＩＤ識別子である。タグ１４は、患者、医者又はサービス技術者に関係する識別タグであって良く、これらのケースの各々において、患者及び外科処置、外科医及び彼又は彼女の所望の手術パラメータ、又は、サービス技術者の場合、サービスデータ、手術装置情報、更新等を識別する適切なデータ１０４を含むことができる。例えば、手術装置は、典型的には、患者の名前、誕生日等、患者パラメータ設定、手術の種類、体の部位、装置設定等のような患者データの入力を要求し、そして、彼又は彼女のカスタム設定で手術装置に外科医をログオンさせるように要求する。手術装置は、医者の名前、パラメータ設定、及び、サービスコールの場合には、診断情報、機械性能出力、機械履歴等を含み、手術後に実行された処置の患者記録のような幾つかの出力も提供する。
【００３７】
バッジを含む患者タグ１４の実施例は、例えば、タグ１４が患者に取り付けられている間に手術装置１６の近くに運ぶための十分な所定距離で取り出すことを可能にする格納式のコードと共に患者の腕や足に取り付けられ得る。バッジ／タグ１４は、患者の個々の手術機械設定はもちろんのこと患者識別データも格納する。対応する外科医のバッジ１４は、これらの設定にしたがって、彼又は彼女のカスタム機械設定を送信し、且つ、手術装置１６を設定しながら、手術装置１６に外科医をログオンするためのデータを含む。タグ１４は、手術装置１６からデータ１０５を受信するように動作可能でもあり、例えば、そのようなデータ１０５の外科医のセーブに反応して、データ１０５を格納するようにも動作可能である。バッジ１４は、サービス技術者に、手術装置１６及びタグ１４へ及びからキャリブレーション及び診断データ及びソフトウェア更新を送信する能力を提供する。
【００３８】
本発明の方法及びシステムの実施例は、全ての手術装置のような、製造者からの製品ファミリー全体内で使用される。さらに、一実施例は、中央入力装置１２（例えば、どの病院／事務所）も考慮し、そこでは、バッジ１４がプログラミングされる。本発明のバッジ１４の実施例は、各患者／外科処置の各々のための新しいバッジを獲得して、廃棄され得る。当業者であれば、本発明の実施例は、他の手術装置１６及びタグ１４で使用可能であることを理解するであろう。更なる例として、手術装置１６は、硝子体茎切除術（vitrectomy）コンソールであっても良く、タグ１４はブレスレットであっても良い。
【００３９】
図３は、本発明の一実施例で使用されるＲＦＩＤシステム２００の一例を一般的に説明する簡略ブロック図である。（図２の識別子１０２に相当する）ＲＦＩＤタグ２１０は、典型的には、データを格納するメモリを含む、特定用途向け集積回路（ＡＳＩＣ）のような、集積回路（ＩＣ）２１５を含む。トランスポンダ２１２は、リーダ２２０から無線（ＲＦ）指令又は信号２２４によって起動される。ＲＦ信号２２４は、例えば、マイクロコントローラに応えて、リーダアンテナ２２６に送られ、そして、ＲＦＩＤタグ２１０のメモリから無線でデータを読む又はメモリに無線でデータを書くために、トランスポンダ２１０のアンテナ２１６によって受信される。ＲＦＩＤタグ２１０は、例えば、図１及び２のタグ１４内に統合され得る。入力装置１２及び手術装置１６のそれぞれのインタフェース１３及び１８は、それぞれがリーダ２２０及びＭＣＵ２３０を備える。
【００４０】
例えば、ＲＦＩＤタグ２１０が読み出されるべきであるとき、１３４．２ｋＨｚ電力パルスを約５０ｍｓで存続するアンテナ２２６に送り出す。生成した磁場は、アンテナ２１６、及び同じ周波数に同調されるタグ２１０によって集められる。受信したＡＣエネルギは、トランスポンダ２１２内の小さなキャパシタ２１３で修正及び格納される。電力パルスの終了後、トランスポンダ２１２は、電源としてキャパシタ２１３の中に格納されたエネルギを用いてそのデータを送信する。合計で、ビットはいくらでも特定周期、例えば、２０ｍｓで送信され得る。このデータは、アンテナ２２６で受信され、リーダユニット２２０及びコントローラ２３０によって復号化される。キャパシタ２１３は、データが送信された後で放電され、トランスポンダ２１２は、次の読み出しサイクルのために準備する。これは一実施例であるが、当業者が知る他のＲＦＩＤシステムでも本発明の実施例に使用され得る。
【００４１】
図２を参照して記載されたＲＦＩＤ構成は、トランスポンダ２１２はリーダ２２０からのＲＦ信号２２４によって生成され且つキャパシタ２１３によって蓄えられたエネルギから給電されるので、受動型である。それゆえ、受動型ＲＦＩＤ識別子１０２／２１０は、通常は動作せず、独自の電源を有さない。ＲＦＩＤシステムは、バッテリのような別個の電源が提供される場合、作動しても良い。ＲＦＩＤシステムが動作する方法に関する詳細は、当技術分野においてよく知られているため、この明細書では記載されない。説明のために、限定を意味せず、この明細書は、コンソール手術装置１６とタグ１４との間のデータを送信するために使用されるＲＦＩＤコンポーネントに言及する。しかしながら、当業者は他の送信機、受信機、トランシーバコンポーネントが利用されうることを理解するだろう。
【００４２】
本発明のある実施例では、タグ１４が手術装置１６のリーダ２２０から約１インチの作動範囲で動かされることが考慮されるだろう。これは、受動構成がタグ１４とリーダ２２０との間でなされること、並びに、データの誤り確認又は誤り転送が手術装置１６近くを通過する他のタグ１４とリーダ２２０との間でなされないことを確実にするためである。例えば、患者及び外科医は、本発明にしたがって各々がタグ１４を有するが、タグ１４のみがリーダ２２０の近くにタグ１４を運ぶことによって１回だけ読み出される。リーダ２２０とタグ１４との作動範囲は調整され、より長い範囲は、本発明の範囲内であることが考慮されるが、約１〜２インチの範囲が好ましい。
【００４３】
手術装置１６及びタグ１４との間の通信を提供するためのＲＦＩＤコンポーネントを備える実施例では、タグ１４内の識別子１０２はＲＦＩＤタグ又はトランスポンダ２１０であり、そして、手術装置１６の受信機１１２はＲＦＩＤリーダ２２０である。識別子１０２のためのタグ１４は、識別子、及びもし可能なら、上述されたタグ１４のユーザに関する他のデータを含む。コントローラ１１５は、ユーザタグ１４のＲＦＩＤ識別子１０２によって送られ且つ手術装置１６のＲＦＩＤリーダ１１２によって受信されるデータ１０４がタグ１４のユーザが手術装置１６及び／又は外科処置及び／又はサービスのための権限を与えられていることを示すかどうかを判断するために、基準１１６を実行するソフトウェア及び／又はハードウェア１１７を含む。
【００４４】
タグ１４のサービス技術者実施例では、上記したように、ＲＦＩＤ識別子１０２が識別データ及びセキュリティデータを含むことができ、加えて、手術装置１６を調整する必要があるならキャリブレーションデータを含むことができる。例えば、キャリブレーションデータは、指令又はパラメータ設定、例えば、特定のプローブ又は適合のためのレーザキャリブレーション設定を含めことができる。各プローブ又は適合は、異なる独自の光ファイバの仕様を要求し、それらは、プローブ又は適合の中の光結合を変え、それゆえ特定のキャリブレーションとなる。この種の情報は、外科医のタグ１４実施例においても含められる。
【００４５】
更なる実施例として、硝子体茎切除コンソールを用いるとき、キャリブレーションデータは、レーザプローブ透過率、硝子体茎切除プローブ圧力点、及びエンド照明（endo-illuminator）透過率に関する指令又はパラメータ設定を含む。実際には、他のキャリブレーションデータは、利用される眼科手術装置及びコンポーネントに依存して使用される。手術装置１６は、受信したキャリブレーションデータに基づいてそれ自身を自動で調整する。或いは、手術装置１６は、受信したキャリブレーションデータを用いて外科医によって調整される。さらに、手術装置１６は、（キャリブレーションを超えて）自動的に設定され、及びタグ１４から受信したデータに基づいてデータフィールドにデータ投入する。
【００４６】
加えて、対象となる外科処置に対応する運転パラメータを有効又は無効にすることを含み、及び、外科処置又は外科医の所望の設定に関係する特定の安全特性を呼び出すことを含む様々な目的のために、識別及び／又はキャリブレーションデータ及び／又は設定データは使用される。例えば、手術システムは電力範囲及び／又は外科処置の特定種に既定の照射範囲を制限するように設定されても良い。さらに、識別及び／又は他のデータは、所望の外科処置、患者、外科医、又はサービス技術者に関係し且つユーザに対して表示画面上に表示されるユーザインタフェースを生成するように使用され得る。
【００４７】
図４は、ＲＦＩＤリーダ及びタグが２種類の読み／書き利用１０００のために設定される本発明のシステムの一実施例をより詳細に説明する簡略ブロック図である。この実施例は、より大きなＲＦＩＤタグ１０２データ容量を必要とする。この実施例では、リーダ（又はトランシーバ）は、将来の使用又は参照のためにＲＦＩＤタグ１０２に異なるタイプのデータを書き込むことができる。例えば、ＲＦＩＤリーダ１１２は、処置、患者名、パラメータ設定、経過処置時間等のような情報を書き込むことができる。この情報は、処置がしばらくたって、及び／又はメンテナンススケジュールの経過、又は使用されるマラメータに基づく効果のための外科処置のレビューのためにレビューされる。
【００４８】
当業者は、本発明の範囲から離れることなくなされる様々な変形があることを理解するだろう。実施例は、手術装置の他のタイプに使用され得る。さらに、実施例は、識別、キャリブレーション、メンテナンス、患者／装置能力、ロックアウト目的を含む異なる目的のために使用され得る。このように、上記において説明された例は、制限を意図したものでない。
【００４９】
図５は、本発明に係る１つ以上の入力デバイス３１４及び３２２を有する手術システム３００の簡略ブロック図である。手術システム３００は、さらに、入力装置３１４に操作的に連結される診断コンソール３１２を有する。入力装置３１４は、患者３１６に関係する患者データのセットを入力するように使用される。例えば、データセットは、予定される手術に関係する診断処置の間に、取られる。診断処置は、例えば、レーザ屈折矯正のための波面分析、単純に血圧、体温、及び／又は他の一般的な測定患者パラメータを取ることを含む。測定された患者データ及び／又は入力装置３１４を介して入力された患者データは、例えば、患者名、年齢、診断された栄養物、対象となる体部分等、又は当業者によって知られるそのような他のデータを含む。
【００５０】
入力装置３１４は、診断コンソール３１２に患者データのセットを提供することができ、診断コンソール３１２は、患者データのセットと、例えば外科医の入力及び／又は患者データを提供する時間にその手術の患者確認とを関係付けることができる。診断コンソール３１２は、図１を参照して開示されるタグ１４上に患者情報をロードするための入力装置１２及びインタフェース１３を有することができる。同様に、入力装置及びインタフェースは、所望の外科医データ又はサービス技術者をタグ１４上にロードするために使用される。診断コンソール３１２は、患者データセット及び関係する手術データをタグ１４に送信し、タグ１４は、診断コンソール３１２（例えば、無線又は有線インタフェースで）と通信可能に接続される。
【００５１】
患者データセット及び／又は外科医データの獲得後、データセットは、次の外科処置が生じるまでタグ１４上に格納される。外科処置の手術形態は外科処置の診断形態を即座にフォローし、又は、時間、日にち、そのような時間期間によって分割される時間に生じるように、診断状況（患者データをタグ１４上に入力する時間）及び外科処置の手術状況は変化する。一旦、患者３１６が外科処置をいつでも受けることができ、実行される外科処置に依存して、患者３１６が、適切に、（図１及び２の手術装置１６に類似の）手術装置３１８の上又は近くに配置される。手術が始まる前に、外科医又は外科チームメンバ３２０は、彼の関係タグ１４をリーダ２２０の近くに配置するために患者３１６を指示するか、又は、患者のためにそれを行う。リーダ２２０の位置は、例えば、タグ、又は他のマーキング、又は光、へこみ、タッチパッド等、当業者が知るものである他の識別によって、手術装置３１８（１６）上に示される。２つのコンソール（診断及び手術）において実行される２つのステップが記載されたが、データ収集／送信は、複数ステップにおいてただ１つのコンソールでも生じ得る。
【００５２】
リーダ２２０は、上述のようにタグ１４に通信可能なように接続され、患者／外科医／技術者の各々のデータがタグ１４から送信され、それは手術装置３１８に提供される。手術装置３１８は、外科医による手術のため、或いは、送信データに基づいて設定され、データ投入され、送信データ及び手術装置３１８の設定の確認を含む手続きのために要求される他のステップによる他のユーザのために準備が整えられる。それゆえ、本発明の手術装置に対して設定し且つデータ投入する方法及びシステムの実施例は、正しい外科処置／患者適合、及び効率的な手術フローを効果的に確実にするために使用され得る。この発明の実施例によって提供される外科処置の効率性及びフローに対する改良は、多忙な手術実務において特別な価値がある。本発明の実施例は、外科医のプリファレンスにしたがって手術装置３１８を再生可能な方法で設定するためのデータを含む便利なタグ１４外科医に提供することによって、安全性及び一貫性をも増加させる。１つの外科医から別の人へなされる手動ミスの可能性を大きく減少又は削除する。
【００５３】
本発明の実施例は、手術装置のための手術用具の設定及びデータ入力を簡素化する有利性を提供する。したがって、手術の準備はより効率的になり、時間を減らし、誤りの可能性を減少する。同様な簡素化の利益及び効果は、手術装置３１８（１６）のサービス及びメンテナンスにおいて評価される。本発明の提案されるアプローチは、事前検査処理及び動作後のフォローアップ検査の間に、外科医又は彼のアシスタンスによって通常は記録される手動捕捉入力の紙記録の必要性を変えないが、本発明の実施例は、適切なパラメータの収集を簡素化し、患者が適切な体部分に適切な処置を受けることを確実にするために儲けられる付加的なチャックをする手段を提供する。本発明の実施例は、１つの機械から別のものへ、又は、ある機械から患者記録への読み出しを書き換えずにデータを捕捉することをより簡易化する。
【００５４】
図６は、リーダ２２０の位置の指示の一つの可能な応用例を説明する簡略ブロック図である。このケースでは、手術装置４００は、ユーザがリーダ２２０と通信する十分な近さにあるようにタグ１４を配置する場所を指定する手術装置４００ケーシングの楕円形エリア４１０を含む。リーダ２２０は、例えば、ケーシングエリア４１０の後ろに位置付けることができる。
【００５５】
本発明は、ある好ましい実施例を参照して記載されたが、本発明の精神又は必須の特徴から離れることなく他の特定の形式やその変形において実施されることを理解すべきである。それゆえ、上記された実施例は、あらゆる点で、制限無く、添付の請求項によって示される発明の範囲と考慮される。この記載の目的のために、参照される当業者は、関連のある特許法規によって意図される当業者を意味する。
【図面の簡単な説明】
【００５６】
【図１】図１は、本発明のシステムの一実施例を説明する簡略ブロック図である。
【図２】図２は、システム１０をより詳細に示す本発明の一実施例を説明する簡略ブロック図である。
【図３】図３は、本発明のシステムの一実施例で使用されるＲＦＩＤ２００の一例を一般的に説明する簡略ブロック図である。
【図４】図４は、ＲＦＩＤリーダ及びタグが２種類の読み／書き利用のために設定される本発明のシステムの一実施例をより詳細に説明する簡略ブロック図である。
【図５】図５は、本発明に係る１つ以上の入力デバイス３１４及び３２２を有する手術システム３００の簡略ブロック図である。
【図６】図６は、リーダ２２０の位置の指示の一つの可能な応用例を説明する簡略ブロック図である。
【図１】
2009502337.tif 000003
【図２】
2009502337.tif 000004
【図３】
2009502337.tif 000005
【図４】
2009502337.tif 000006
【図５】
2009502337.tif 000007
【図６】
2009502337.tif 000008
【国際調査報告】
2009502337.tif 000009
2009502337.tif 000010